Podtech/llm-jp-corpus-v4-ja_patent huggingface dataset:
【手続補正書】
【提出日】平成21年6月4日(2009.6.4)
【手続補正１】
【補正対象書類名】特許請求の範囲
【補正対象項目名】請求項１
【補正方法】変更
【補正の内容】
【請求項１】
管腔内の医学的治療のためのバルーンカテーテルであって、
近位シャフト部分と、前記近位シャフト部分に取り付けられたインナーシャフト部分とを備えるカテーテルであって、前記インナーシャフト部分が前記近位シャフト部分から遠位側に配置されており、第１のルーメンが前記近位シャフト部分の少なくとも一部を通って延び、第２のルーメンが少なくとも前記近位シャフト部分と前記インナーシャフト部分を通って延びるカテーテルと、
近位端と遠位端を備えるバルーンであって、前記近位端と前記遠位端は前記カテーテルに取り付けられており、前記バルーンがそれによって前記近位端と前記遠位端の間で前記インナーシャフト部分の少なくとも一部を包囲し、前記第１のルーメンが前記バルーンの内部に露出されているバルーンと、
を備え、
前記バルーンは、前記バルーンと前記カテーテルを体腔に管腔内挿入することを容易にするように前記カテーテル上に折り畳み可能であり、前記カテーテルは、前記第２のルーメンを通してガイドワイヤを延ばすことによって体管腔に挿通可能であり、前記バルーンはそれによって、膨張用媒体を前記第１のルーメンを通過させて前記バルーンの前記内部に入れることによって、前記体腔を拡張させるように膨張可能であり、
前記バルーンの二重壁厚が約０．０７６ｍｍ（約０．００３インチ）以下であり、前記インナーシャフト部分がヤング率約５８６ＭＰａ（約８５ｋｐｓｉ）以下の弾力性のある材料から製造されており、前記弾力性のある材料はそれによって、前記バルーンが膨張される時、前記インナーシャフト部分が伸びることを可能にし、前記膨張用媒体の圧力による前記バルーンの湾曲を最小限にする、バルーンカテーテル。
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
医療機器において、
作業ルーメンを有する細長いシャフトと、
該作業ルーメン内に開いた状態で配置されるステープルであって、該ステープルはブリッジ部で接続された第一の歯と第二の歯とを含み、該ステープルは形状記憶材料を更に含み、該形状記憶材料の変態温度以上の温度で、開いた状態から閉じた状態に移行するように構成されているステープルと、
を含み、
該第一の歯は該作業ルーメン内にある時、該第二の歯の遠位に配置され、該第二の歯の端部が該第一の歯に向かって曲がっており、該第二の歯の端部が該作業ルーメン内にある時は、概して該シャフトの遠位方向を向くようされている医療機器。
【請求項２】
該第一の歯と該第二の歯の少なくとも一方が、該開いた状態で概して該ブリッジ部の線に沿って伸長している、請求項１に記載の医療機器。
【請求項３】
該ステープルが体内組織への送出後、該閉じた状態にされる、請求項１に記載の医療機器。
【請求項４】
該第一の歯と該第二の歯が該閉じた状態で互いに向かって曲がり、それにより切り口の閉鎖を可能にする、請求項３に記載の医療機器。
【請求項５】
該細長いシャフトの該作業ルーメンを貫通して伸長する制御機構を更に含む、請求項１に記載の医療機器。
【請求項６】
該形状記憶材料の該変態温度が摂氏約３２度から摂氏約４０度の範囲にある、請求項１に記載の医療機器。
【請求項７】
該形状記憶材料が形状記憶合金である、請求項１に記載の医療機器。
【請求項８】
該形状記憶合金がニッケルとチタンを含む、請求項７に記載の医療機器。
【請求項９】
該細長いシャフトが近位部分、遠位部分及び該遠位部分に沿って配置されたスロットとを更に含み、該スロットは該ステープルの一部分が通過可能に構成されている、請求項１に記載の医療機器。
【請求項１０】
医療機器において、
形状記憶材料から形成された、開いた状態と閉じた状態とを有するステープルと、
細長いシャフトであって、少なくともその一部分を貫通して伸長する作業ルーメンを有し、該作業ルーメンは、該ステープルを開いた状態で受けるようにされ、該シャフトは該細長いシャフトの遠位部分に軸方向スロットを更に有し、該スロットは該ステープルの一部分が通過出来るように構成されている、細長いシャフトと、
該ルーメンに沿って伸長する制御部材であって、該制御部材は、該ステープルを体内組織に送出するようにされている制御部材と、
を有し、
該ステープルは、体内組織に配置されると、閉じた状態を取る医療機器。
【請求項１１】
該制御部材が該ステープルを体内へ順次段階的に送出するようにされた、請求項１０に記載の医療機器。
【請求項１２】
該ステープルが、ブリッジ部によって接続された第一の歯と第二の歯を更に含み、該ステープルが該開いた状態で該ルーメン内に受け入れられるとき、該第一の歯の端部は該第二の歯の遠位に配置される、請求項１０に記載の医療機器。
【請求項１３】
該形状記憶材料が高温相と低温相とを有する、請求項１０に記載の医療機器。
【請求項１４】
該ステープルが該開いた状態で該形状記憶材料の低温相を有し、該閉じた状態で該形状記憶材料の高温相を有する、請求項１３に記載の医療機器。
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
経皮投薬パッチ製品を備えた装置であって、
薬剤を備えてなる、パッチと、
前記パッチを保管し、前記パッチをその中に保管している間、前記薬剤を乾燥する、保護パッケージと、を備えることを特徴とする経皮投薬パッチ製品を備えた装置。
【請求項２】
前記保護パッケージは、前記パッチをその中に保管している間、前記薬剤が２−３重量％の水分を含む程度に乾燥するように構成されている、ことを特徴とする請求項１記載の装置。
【請求項３】
前記保護パッケージは、前記パッチをその中に保管している間、前記薬剤が３−５重量％の水分を含む程度に乾燥するように構成されている、ことを特徴とする請求項１記載の装置。
【請求項４】
前記パッチは、
窓部を囲むフレームを画定するように形作られた、第一の部分と、
前記第一の部分と近接し、前記薬剤を持った投薬領域を画定するように形作られた、第二の部分と、を画定するように形作られ、
前記パッチは、前記第二の部分が前記第一の上に折重なった時、前記薬剤投薬領域が、前記窓部を通過するように配置される、ことを特徴とする請求項１記載の装置。
【請求項５】
前記保護パッケージは、前記パッチを保管する、パッケージを備え、該パッケージが、前記保護パッケージに保管された時、前記薬剤と流体的に連通する乾燥剤を備える、ことを特徴とする請求項１記載の装置。
【請求項６】
前記保護パッケージは、前記パッチを覆う、取外し可能な保護カバーを備え、保管中に前記保護パッケージが前記パッチを覆う時、前記保護カバーの少なくとも一部分が前記薬剤から離れ、前記保護カバーが自身を貫通する１つ以上の穴を持つように構成される、ことを特徴とする請求項１記載の装置。
【請求項７】
前記保護パッケージは、前記保護カバーと共に前記パッチを保管するパッケージと、前記パッチが前記パッケージの中に保管された時、前記穴を介して前記薬剤と流体的に連通する、乾燥剤を備える、ことを特徴とする請求項６記載の装置。
【請求項８】
前記要素は、周辺領域を画定するように形作られ、盛上った中央領域は、前記薬剤と接触しないように形作られている、ことを特徴とする請求項６記載の装置。
【請求項９】
前記保護パッケージは、前記パッチを覆う取外し可能な保護カバーを備え、保存中に前記保護カバーが前記パッチを覆う時、前記保護カバーの少なくとも一部が前記薬剤から隔離されるように構成され、前記保護カバーが、乾燥剤を備えている、ことを特徴とする請求項１記載の装置。
【請求項１０】
前記保護カバーが、１から１０個の前記貫通穴を持つ、ことを特徴とする請求項６から８のいずれか一つに記載の装置。
【請求項１１】
前記保護カバーが、布地、プラスチック、膜、網、ポーラス状の物質、および、湿気透過性フィルムからなるリストの中の少なくとも一つを備え、前記1つ以上の貫通穴がリスト中から選択した物に設けられている、ことを特徴とする請求項６から８のいずれか一つに記載の装置。
【請求項１２】
経皮投薬パッチ製品を製造する方法であって、
パッチに薬剤を含ませる工程と、
前記薬剤の部分の少なくとも６重量％より多くの水分を持っている間に、その中に保管されている間、前記薬剤が乾燥するための保護パッケージの中に前記パッチを保管する工程と、を含む経皮投薬パッチ製品を製造する方法。
【請求項１３】
前記保管工程が、前記保護パッケージの中に乾燥剤を置くことを特徴とする請求項１２記載の方法。
【請求項１４】
前記保管工程が、前記パッチをその中に保管している間、前記薬剤が２−３重量％の水分を含む程度に乾燥するように構成されている、保護パッケージの中に前記パッチを保管する工程を含む、ことを特徴とする請求項１２に記載の方法。
【請求項１５】
前記の、保護パッケージの中にパッチを保管する工程で、保護パッケージが、前記パッチをその中に保管している間、前記薬剤が３−５重量％の水分を含む程度に乾燥する、ことを特徴とする請求項１２、あるいは、１４に記載の方法。
【請求項１６】
前記保護パッケージが乾燥剤を持つパッケージを備え、前記パッチを保管する工程が、前記乾燥剤が前記薬剤と流体的に連通するように前記パッチを前記パッケージの中に保管する工程を含む、ことを特徴とする請求項１２に記載の方法。
【請求項１７】
前記保護パッケージは、前記パッチを覆う、取外し可能な保護カバーを備え、保管中に前記保護パッケージが前記パッチを覆う時、前記保護かカバーの少なくとも１部分が前記薬剤から離れ、前記保護カバーが自身を貫通する１つ以上の穴を持つように構成される、ことを特徴とする請求項１２に記載の方法。
【請求項１８】
前記保護パッケージは、乾燥剤と、前記パッチを覆う取外し可能な保護カバーを備え、前記パッチを補完する工程が、前記保護カバーの少なくとも一部が前記薬剤から隔離されるように、前記パッチに前記保護カバーに覆う工程を含む、ことを特徴とする請求項１２に記載の方法。
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
電気化学現象を利用して筋肉を増強するとともに皮膚細胞を賦活する方法であって、該方法は、処理されるべき解剖学的構造の一部を電解液を入れた容器に浸す工程と、陽極を電解液と接触させて直流電源に接続する工程と、約1ミリアンペアから約50ミリアンペアの電流振幅で、50ボルトから120ボルトの範囲のレベルで約0.2ミリ秒から1ミリ秒の範囲のパルス持続時間と約400ヘルツから約1200ヘルツの範囲の周波数の電圧で、該容器内にパルスを発生させる工程とを含んでいる、方法。
【請求項２】
前記電圧はパルスで修正された単相波形で生成されることを特徴とする、請求項１に記載の方法。
【請求項３】
陰極が、前記直流電源に接続されているバッテリーに接続された、電解液を入れた第２の容器に接続され、該第２の容器に処理されない解剖学的構造の部分を浸すことを特徴とする、請求項１に記載の方法。
【請求項４】
水道水を含む前記電解液に浸された陰極が、前記バッテリー及びあるいは直流電源とは別に、前記前記電解液中の水の作用によりそれ自体腐食し得るものであることを特徴とする、請求項１に記載の方法。
【手続補正書】
【提出日】平成21年6月12日(2009.6.12)
【手続補正１】
【補正対象書類名】明細書
【補正対象項目名】配列表
【補正方法】変更
【補正の内容】
【配列表】
2008543301000001.app
【手続補正２】
【補正対象書類名】明細書
【補正対象項目名】００１０
【補正方法】変更
【補正の内容】
【００１０】
本発明は、APCの適切な選択および成熟を誘導し、最終的に効果的な特異的CTL応答をもたらし得る、TLR4発現細胞へ抗原送達のための理論的手段としての、TLR4に対する潜在的な天然リガンドであるフィブロネクチン・エクストラ・ドメインA(EDA)に関する。フィブロネクチン分子は、１つの遺伝子産物であって、得られる該タンパク質は、一つの前駆体mRNAの選択的スプライシングから生じる複数の形態で存在できる(Pankov R and Kenneth MY, "Fibronectin at a glance". Journal of Cell Science, 2002; 115:3861 3863)。スプライシングの主なタイプは、タイプIIIリピートの中心的な型において認められる。エキソン用法またはスキッピングは、２つのタイプIIIリピートのいずれかの包含または排除に導く：エクストラドメインB(EDB、EIIIBまたはEDIIとも呼ばれる)、およびエクストラドメインA(EDA、EIIIAまたはEDIとも呼ばれる)。選択的スプライシングによるEDAおよびEDBを含有する細胞性フィブロネクチンは組織損傷への応答の際に産生される。他の生物学機能のなかの一つには、EDAはプロテオグリカン放出およびメタロプロテイナーゼ(MMP1、3および9)および炎症誘発性サイトカインの発現を誘導することが示されている(Saito S et al. "フィブロネクチンエクストラドメインAはマトリックスメタロプロテイナーゼ遺伝子発現をインターロイキン-1依存機構により誘導する", J. Biol. Chem. 1999; 161:3071-3076を参照されたい)。EDAはTLR4を活性化し、LPS様応答を誘導できることも示されている(Okamura Y et al.,"フィブロネクチンのエクストラドメインAはトル様受容体4を活性化する", J. Biol. Chem. 2001; 276:10229-10233)。
【手続補正３】
【補正対象書類名】明細書
【補正対象項目名】００３３
【補正方法】変更
【補正の内容】
【００３３】
本発明の目的とする他の特定の実現において、目的とする該分子は、タンパク質性ベクターと化学的または遺伝子的に結合された化学物質または薬物である。このように該タンパク質性ベクターは、TLR4発現細胞への特異的な薬物標的化に有用である。
【手続補正４】
【補正対象書類名】明細書
【補正対象項目名】００３５
【補正方法】変更
【補正の内容】
【００３５】
タンパク質性ベクターに導入したEDAドメインは、TLR4に結合すること、さらにTLR4発現細胞のサイトゾルへの目的とする分子輸送を促進することを特徴とする。
【手続補正５】
【補正対象書類名】明細書
【補正対象項目名】００８９
【補正方法】変更
【補正の内容】
【００８９】
実施例２．EDA含有融合タンパク質はイン・ビトロおよびイン・ビボで樹状細胞成熟を誘導し、細胞傷害性Tリンパ球の誘導を可能にする
2.1 材料および方法
2.1.1. 骨髄由来樹状細胞産生
樹状細胞を骨髄細胞から生育させた。ACK溶菌緩衝液をもちいて赤血球を溶菌した後に、細胞を洗浄し、次にCD4 (GK1; ATCC, Manassas, VA)、CD8(53.6.72; ATCC)、Ly-6G/Gr1(BD-Pharmingen; Sandiego CA)およびCD45R/B220 (BD-Pharmingen)に対する抗体の混合物とのインキュベーションにより、その後にウサギ補体によってリンパ球および顆粒球を枯渇させた。残存細胞を、mGM-CSF（20 ng/ml）およびmIL-4（20 ng/ml）(Peprotech; London, UK両方)を有する強化完全培地中で、12-ウェルプレートにおいて、106細胞/mlで生育させた。２日毎に、培地をサイトカイン含有する新規培地で置換した。非付着性樹状細胞を、7日で収穫し、37℃および5%CO2で、LPS(Sigma)（1μg/mlまたは15ng/ml）、EDA-SIINFEKL (500 nM)またはSIINFEKL (10μM)の存在または非存在下で培養した。幾つかの実験において、ポリミキシン(10μg/ml)を培養物に加え、エンドトキシン汚染物質の影響を阻害する。24時間培養後、上清を回収し、IL-12およびTNF-αを、生成者指示書に従ってELISA(BD-Pharmingen)によって測定した。
【手続補正６】
【補正対象書類名】明細書
【補正対象項目名】０１１５
【補正方法】変更
【補正の内容】
【０１１５】
3.3. 考察
前記結果に示したように、EDAタンパク質は、OVAタンパク質からのSIINFEKLエピトープをTLR4分子発現細胞に標的化するための有用なベクターとして機能し、それらの免疫原性を増強出来る。より高分子のタンパク質の免疫原性を増強するEDAの能力を評価するために、我々は、完全なOVA(397個のアミノ酸)を含有するEDA-OVA 融合組換えタンパク質およびC型肝炎ウイルスからのNS3タンパク質のプロテアーゼ活性を有するフラグメントを含有するEDA-NS3タンパク質を構築した。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
制御手段によりガイドカテーテルの動作を制御する方法であって、
ガイドカテーテルを用意する工程と、
ガイドカテーテルを介して第１の縫糸用クリップを前進させる工程であって、第１の縫糸用クリップは、同第１の縫糸用クリップと連通するテザー構造体を有することと、
ガイドカテーテルを介して第２の縫糸用クリップを前進させる工程であって、第２の縫糸用クリップは前記テザー構造体と連通することと、
前記テザー構造体を引くことにより第１の縫糸用クリップと第２の縫糸用クリップとを引き寄せ、前記テザー構造体の長さを減少させる工程とを備える方法。
【請求項２】
第１の縫糸用クリップを前進させる工程に先立って、ガイドカテーテル内に配置された針状メスを前進させ、後退させる工程をさらに備える、請求項１に記載の方法。
【請求項３】
Ｘ線透視法または心内超音波を用いて前記工程を可視化する工程をさらに備える、請求項１に記載の方法。
【請求項４】
拡張性心筋症を罹病する患者において、心室横断サイズを減少させるとともに、心室外形を改善するための医療装置の製造における、テザー構造体の使用であって、
テザーは、同テザーと操作可能に連結された少なくとも２つの縫糸用クリップを有し、前記テザーと縫糸用クリップとはガイドカテーテル内に適合するサイズであって、前記テザー構造体は、前記少なくとも２つの縫糸用クリップを互いに近接位置に引き寄せるための固定手段を有する、テザー構造体の使用。
【請求項５】
拡張性心筋症を罹病する患者における、心室横断サイズを減少させるとともに、心室外形を改善するための医療装置の製造において用いられるテザー構造体であって、
テザーは、同テザーと操作可能に連結された少なくとも２つの縫糸用クリップを有し、前記テザーと縫糸用クリップとはガイドカテーテル内に適合するサイズであって、前記テザー構造体は、前記少なくとも２つの縫糸用クリップを互いに近接位置に引き寄せるための固定手段を有する、テザー構造体。
【請求項６】
心筋症を罹病する患者の僧帽弁閉鎖不全症の治療のための医療装置キットであって、
ガイドカテーテルと、
ガイドカテーテル内に配置され、同ガイドカテーテルを介して前進されることが可能である針状メスと、
ガイドカテーテルを介して前進されることが可能である第１の縫糸用クリップであって、第１の縫糸用クリップは、同第１の縫糸用クリップと連通するテザー構造体を有することと、
ガイドカテーテルを介して前進されることが可能である第２の縫糸用クリップであって、第２の縫糸用クリップは前記テザー構造体と連通することとを備え、
前記テザー構造体を引くことにより第１の縫糸用クリップと第２の縫糸用クリップとを引き寄せることにより、前記テザー構造体の長さが減少されるキット。
【請求項７】
Ｘ線透視法または心内超音波を用いる可視化手段をさらに備える、請求項６に記載の医療装置キット。
【請求項８】
拡張性心筋症を罹病する患者の心室横断サイズを減少させるとともに、心室外形を改善する方法に用いる乳頭筋装着具であって、
前記患者の心臓の左心室内の第１および第２の乳頭筋の対向する部分に固定されるテザー構造体を有し、
前記テザー構造体により、第１および第２の乳頭筋の前記対向する部分を互いに引き寄せ、前記対向する部分間の距離を縮小させ、それにより、前記患者の心臓の心室横断サイズおよび外形を減少させる装着具。
【請求項９】
前記テザー構造体は、縫糸フィラメントが固定されたクリップを備え、同クリップは、各乳頭筋の基部に隣接した乳頭筋部分に固定される、請求項１記載の装着具。
【請求項１０】
クリップが各乳頭筋に固定される前に、前記縫糸フィラメントはクリップに固定される、請求項２記載の装着具。
【請求項１１】
前記テザー構造体は、前記乳頭筋の対向する部分同士を互いの方向に引き寄せて、心臓の心室横断サイズを減少させる、請求項１乃至３記載の装着具。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
リボヌクレアーゼの天然のアミノ酸配列から少なくとも２つのアミノ酸変化を有するＲＮａｓｅ  Ａ・スーパーファミリーの遺伝子操作されたリボヌクレアーゼであって、前記第１の変化は、ウシの膵臓のＲＮアーゼＡのアミノ酸残基８５〜９４に対応する領域におけるアミノ酸置換であり、前記第２の変化は、ウシの膵臓のＲＮアーゼＡの残基３８、３９及び６７に対応するアミノ酸からなる群から選択された位置における変質、置換又はアミノ酸交換であり、前記遺伝子操作されたリボヌクレアーゼは、アミノ酸残基８５〜９４に対応する前記領域においてのみ修飾を有する対応する前記遺伝子操作されたリボヌクレアーゼと比較して高い細胞傷害活性を有する遺伝子操作されたリボヌクレアーゼ。
【請求項２】
前記第２の変化が、残基３８のアスパラギン酸と残基３９のアルギニンとを交換することである、請求項１に記載の遺伝子操作されたリボヌクレアーゼ。
【請求項３】
前記第２の変化が、残基６７におけるアルギニンに対するアスパラギンによる置換である、請求項１に記載の遺伝子操作されたリボヌクレアーゼ。
【請求項４】
前記第１の変化が、残基８８におけるグリシンに対するアルギニンによる置換である、請求項１に記載の遺伝子操作されたリボヌクレアーゼ。
【請求項５】
請求項１の遺伝子操作されたリボヌクレアーゼの発現を符号化するＤＮＡ構成体。
【請求項６】
請求項５のＤＮＡ構成体の宿主を務める細胞。
【請求項７】
請求項１に記載の遺伝子操作されたリボヌクレアーゼを前記細胞に供給する工程を含む細胞傷害活性を細胞に供給する方法。
【請求項８】
遺伝子操作されたウシの膵臓のリボヌクレアーゼＡであるＤ３８Ｒ／Ｒ３９Ｄ／Ｇ８８Ｒ。
【請求項９】
請求項８のリボヌクレアーゼを符号化するＤＮＡ構成体。
【請求項１０】
遺伝子操作された前記ウシの膵臓のリボヌクレアーゼＡであるＤ３８Ｒ／Ｒ３９Ｄ／Ｎ６７Ｒ／Ｇ８８Ｒ。
【請求項１１】
請求項１０の前記リボヌクレアーゼを符号化するＤＮＡ構成体。
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
選択された背もたれ位置と前畳み位置との範囲内でシートクッションに対する背もたれの回転運動を提供するリクライニング装置であって、
ガイドプレートと、
前記ガイドプレートに回転可能に取り付けられる歯付きプレートであって、前記ガイドプレートと前記歯付きプレートの一方は前記背もたれに装着され、前記ガイドプレートと前記歯付きプレートの他方は前記シートクッションに装着され、前記歯付きプレートは一連の内部歯を含む縁部と段状カム面を有する、前記歯付きプレートと、
前記歯付きプレートと前記ガイドプレート間に装着される複数の爪であって、それぞれの前記爪は歯状面とピップを有し、前記歯状面が前記歯付きプレートの前記一連の歯と係合し前記ガイドプレートに対して前記歯付きプレートを固定するロック位置と前記歯状面が前記ガイドプレートの歯と間隔を置いて配置され前記ガイドプレートに対して前記歯付きプレートが移動可能とするロック解除位置との間で前記爪が移動可能であり、前記ピップが前記ロック解除位置にある前記複数の爪を保持する前記段状カム面の一部と係合し前記背もたれが前畳み位置に移動可能とする、前記複数の爪と、
前記ガイドプレートから延在している複数のガイドであって、前記爪を収容し、前記爪を前記ロック位置およびロック解除位置間を誘導する前記複数のガイドと、
前記ガイドプレートと前記歯付きプレート間に回転可能に装着されるカムであって、前記カムは前記爪との選択的係合のために複数のローブによって画定されるカム面を有し、前記カムの回転および逆回転の際に、前記ロック位置とロック解除位置の間で選択的に前記爪を移動させるカムと、
前記複数の爪を前記ロック位置に継続的にバイアスをかけるバネと、
前記歯付きプレートに回転可能に装着されるメモリディスクであって、前記歯付きプレートとのロストモーション接続によって、前記メモリディスクが、所定量の回転中に前記ロック解除位置にある前記爪を保持する前記内側カム面に延びる前記歯付きプレートに対して所定量回転して、前記背もたれを前記選択された背もたれ位置の範囲内でメモリ位置に戻すことを可能とする、メモリディスクと、
前記メモリディスクと前記歯付きプレート間を延在し、前記段状カム面に一直線に並ぶように前記メモリディスクを付勢するバネと、
を備えるリクライニング装置。
【請求項２】
前記メモリディスクは、前記ピップのうち少なくとも１つと係合し、前記背もたれの戻り運動中に前記歯付きプレートに対して前記メモリディスクを前記所定量回転させる戻り止めを備える請求項１に記載のリクライニング装置。
【請求項３】
前記メモリディスクは、周方向に延在している第２の外側カム面と第２の内側カム面を有し、前記第２の外側カム面は、爪のロックおよびロック解除運動中にメモリディスクがピップに干渉しないように放射方向に間隔を置いて配置され、前記第２の内側カム面は、ピップが前記歯付きプレートの前記内側カム面と係合し、前記背もたれの前畳み中に前記爪の前記ロック運動を防止するように放射方向に間隔を置いて配置される、請求項１に記載のリクライニング装置。
【請求項４】
前記メモリディスクは、前記ピップのうち少なくとも１つと係合し、前記歯付きプレートに対して前記メモリディスクを前記所定量回転させる戻り止めを有する請求項３に記載のリクライニング装置。
【請求項５】
前記戻り止めは、前記第２の外側カム面と第２の内側カム面の間に配置される請求項４に記載のリクライニング装置。
【請求項６】
前記段状カム面は、前記第２の外側カム面および第２の内側カム面に対応する第１の外側カム面および第１の内側カム面を有する請求項５に記載のリクライニング装置。
【請求項７】
前記メモリディスクが、周方向に間隔を置いて配置された円弧状の複数の開口部によって分離される内側リングおよび外側リングを有し、前記開口部が前記第２の外側カム面および第２の内側カム面を画定する請求項６に記載のリクライニング装置。
【請求項８】
前記メモリディスクは、内側リングと外側リングが異なる面上に延在するように浮き出し加工される請求項７に記載のリクライニング装置。
【請求項９】
前記内側リングは、円弧状スロットを有し、前記歯付きプレートは、前記メモリプレートを前記所定量回転させることのできるタブを有する請求項８に記載のリクライニング装置。
【請求項１０】
前記リクライニング装置は前記カムに係合するブッシングをさらに備え、前記カムと前記ブッシングがロストモーション接続し、前記ブッシングが前記カムに駆動係合する前に、限定された相対的回転を可能にする請求項１に記載のリクライニング装置。
【請求項１１】
前記ガイドプレートと前記歯付きプレートのうち少なくとも一方が１つの受け部を有し、前記ガイドプレートと歯付きプレートのうち他方が２つの受け部を有し、前記受け部が前記ガイドプレートと前記歯付きプレート間の回転移動を約１８０度に限定するように配置される請求項１に記載のリクライニング装置。
【請求項１２】
前記リクライニング装置は前記車輌シートの両側に装着され、前記一対のリクライニング装置間を延在し、前記一対のリクライニング装置の動作を一体とするロッドを有する請求項１から１１に記載の一対のリクライニング装置を組み込む車輌シート。
【手続補正２】
【補正対象書類名】図面
【補正対象項目名】図１
【補正方法】変更
【補正の内容】
【図１】
2008543387.tif 000001
【誤訳訂正書】
【提出日】平成21年10月23日(2009.10.23)
【誤訳訂正１】
【訂正対象書類名】明細書
【訂正対象項目名】０２７５
【訂正方法】変更
【訂正の内容】
【０２７５】
本明細書において引用した出版物、特許出願、および特許を含む参考文献はすべて、各参考文献が個別にかつ具体的に参照により組み入れられことが示され、その全体が本明細書中に記載されるのと同程度に、参照により本明細書に組み入れられる。
本発明の記載における(特に添付の特許請求の範囲における)、「1つの(a)」および「1つの(an)」および「その」という語ならびに同様の指示語の使用は、本明細書中に特記しない限りまたは明らかに文脈と矛盾しない限り、単数および複数の両方を包含すると解釈されるべきである。「含む」、「有する」、「包含する」、および「含有する」という用語は、特記しない限り、制限のない用語(すなわち、「含むがこれに限定されない」を意味する)と解釈されるべきである。本発明の特徴または要素を説明するために制限のない用語を用いる限り、本発明の精神および範囲から逸脱することなく、制限のない用語の代わりに制限のある用語を用いることができることが明確に意図される。本明細書における数値範囲の記載は、本明細書において特記しない限り、その範囲内に入るそれぞれ個々の値を個別に参照する略記法として用いることを単に目的としており、それぞれ個々の値は、その値が本明細書に個別に記載されているかのごとく本明細書に組み入れられる。本明細書に記載する方法はすべて、本明細書中に特記しない限りまたは明らかに文脈と矛盾しない限り、任意の適切な順序で行うことができる。本明細書に提供するあらゆる例または例示の用語(例えば「〜など」)の使用は、単に本発明をより明らかにすることを意図するものであり、別段の主張がない限り、本発明の範囲を制限するものではない。本明細書中のいかなる用語も、請求項に記載されていない要素を本発明の実施に必須であると示すものとは解釈されるべきでない。
本明細書中では、本発明を実施するための本発明者らが知っている最良の形態を含めて、本発明の好ましい態様をに記載する。前述の説明を読むことにより、これらの好ましい態様の変形が当業者に明らかになると考えられる。本発明者らは、当業者が必要に応じてそのような変形を使用することを予想し、また本発明者らは、本明細書に具体的に記載した以外の方法で本発明が実施されることを意図する。したがって、本発明は、本明細書に添付した特許請求の範囲に記載される発明対象の、適用法律により認められるすべての変更物および均等物を含む。さらに、その考えられるすべての変形における上記要素のいずれの組み合わせも、本明細書中に特記しない限りまたは明らかに文脈と矛盾しない限り、本発明に包含される。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
ヒト胚性幹（ｈＥＳ）細胞から心筋細胞系列細胞を得るための方法であって、
ａ）アクチビンＡの存在下であるがＢＭＰの非存在下で該ｈＥＳ細胞を培養する工程；および
ｂ）その後、該細胞をＢＭＰの存在下であるがアクチビンＡの非存在下で培養する工程
を包含する、方法。
【請求項２】
前記ＢＭＰがＢＭＰ−２、ＢＭＰ−４またはＢＭＰ−７である、請求項１に記載の方法。
【請求項３】
前記ＢＭＰがＢＭＰ−２である、請求項２に記載の方法。
【請求項４】
前記ＢＭＰがＢＭＰ−４である、請求項２に記載の方法。
【請求項５】
前記ＢＭＰがＢＭＰ−７である、請求項２に記載の方法。
【請求項６】
前記ｈＥＳ細胞が、アクチビンＡの存在下で約１日間培養された後、前記ＢＭＰの存在下で約４日間培養される、請求項１に記載の方法。
【請求項７】
前記ＢＭＰ培養工程に続いて、培地がアクチビンＡもＢＭＰも含まない培養工程をさらに包含する、請求項１に記載の方法。
【請求項８】
前記追加の培養工程が少なくとも１週間にわたり行われる、請求項７に記載の方法。
【請求項９】
前記追加の培養工程が少なくとも２週間にわたり行われる、請求項７に記載の方法。
【請求項１０】
前記追加の培養工程がＩＧＦ−ＩまたはＩＧＦ−ＩＩを含有する培地中で行われる、請求項７に記載の方法。
【請求項１１】
前記追加の培養工程がＩＧＦ−Ｉを含有する培地中で行われる、請求項１０に記載の方法。
【請求項１２】
胚様体を形成させる工程を含まない、請求項１に記載の方法。
【請求項１３】
前記ＢＭＰ培養工程に続いて、前記培養物から細胞を回収する工程、および該回収した細胞集団を心筋細胞系列細胞について富化させる工程をさらに包含する、請求項１に記載の方法。
【請求項１４】
前記回収した細胞集団がパーコール勾配によって富化される、請求項１３に記載の方法。
【請求項１５】
前記富化が心臓体の形成を伴う、請求項１３に記載の方法。
【請求項１６】
ｈＥＳ細胞から心筋細胞系列細胞の富化集団を得る方法であって、
ａ）アクチビンＡの存在下であるがＢＭＰの非存在下で、無血清培地中で約１日間該ｈＥＳ細胞を培養する工程；
ｂ）その後、ＢＭＰの存在下であるがアクチビンの非存在下で、無血清培地中で約４日間培養する工程；
ｃ）該培養物から細胞を回収する工程；および
ｄ）該回収した細胞集団を心筋細胞系列細胞について富化させる工程
をこの順序で包含する、方法。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
食物などを蓄えるためのシステムであって、
内部容積を提供する軟質の側壁と、前記軟質の側壁に取り付けられ、前記内部容積と連通する逆止め弁要素とを有する貯蔵袋と、
前記弁要素のまわりの側壁と隣接して配置された吸気口を備えたハウジングを有する排気装置と、
を含み、
前記吸気口は第１の径を有し、前記弁要素は第２の径を有し、前記第１の径は前記第２の径より大きい、
ことを特徴とするシステム。
【請求項２】
前記排気装置は、作動したときに連続動作するものである、請求項１に記載のシステム。
【請求項３】
前記弁要素は、前記側壁に開けられた穴の上に取り付けられた軟質の下部層と、該下部層に重なる上部層とを有する、
ことを特徴とする請求項１に記載のシステム。
【請求項４】
前記貯蔵袋は空気から液体を分離するために前記弁要素を覆う不織布材料を有する、
ことを特徴とする請求項１に記載のシステム。
【請求項５】
前記不織布材料は前記内部容積内に配置された、
ことを特徴とする請求項４に記載のシステム。
【請求項６】
貯蔵袋を排気する方法であって、
（ｉ）内部容積を画定する軟質の側壁、前記内部容積から出し入れするための封止可能な穴、および前記側壁に取り付けられ前記内部容積と連通する逆止め弁要素とを有する貯蔵袋を提供する工程と、
（ｉｉ）前記穴を密閉する工程と、
（ｉｉｉ）排気装置のノズルを前記弁要素のまわりの前記側壁と隣接して配置する工程と、
（ｉｖ）前記内部容積から排気する工程と、
を含む方法。
【請求項７】
前記ノズルは硬質材料で構成されたものである、
ことを特徴とする請求項６に記載の方法。
【請求項８】
前記ノズルは第１の径を有し、前記弁要素は第２の径を有し、前記第１の径は前記第２の径より大きい、請求項６に記載の方法。
【請求項９】
（ｖ）前記弁要素を不織布材料で覆う工程と、
（ｖｉ）前記内部容積からの空気を前記不織布材料に通して液体を分離する工程と、
を更に含む、
ことを特徴とする請求項６に記載の方法。
【請求項１０】
前記排気装置は作動したとき連続動作するようにものである、
ことを特徴とする請求項６に記載の方法。
【請求項１１】
食物などを蓄えるためのシステムであって、
内部容積を提供する柔軟な側壁を有し、前記内部容積への出入を可能にするために前記側壁に開けられた穴を有し、さらに前記穴を閉じるための閉鎖要素を有する貯蔵袋と、
前記軟質の側壁に取り付けられ前記内部容積と連通する軟質の第１の層を有する逆止め弁要素と、
該弁要素と流体連通するように動作する排気装置と、
の組み合わせを含むシステム。
【請求項１２】
前記軟質の第１の層は前記側壁に開けられた開口の上に取り付けられており、前記弁要素は前記第１の層の上に重なる第２の層を有し、該第２の層は、前記開口からずれた位置に少なくとも１つの穿孔を有する、
ことを特徴する請求項１１に記載のシステム。
【請求項１３】
食物などを蓄えるためのシステムであって、
内部容積を提供する軟質の側壁を有し、該側壁が内側面と外側面とを有する貯蔵袋と、
ここで前記貯蔵袋が、内部容積から出し入れするために側壁に開けられた穴と該穴を閉じるための閉鎖要素を有するものであり、
前記軟質の側壁の前記外側面だけに取り付けられ、前記内部容積と連通する逆止め弁要素と、
該逆止め弁要素を通して前記内部容積を排気するために、前記弁要素のまわりに配置される吸気口を備えたハウジングを有する排気装置と、
を有し、
前記逆止め弁要素は、非排気状態で前記内側面の上に延在する、
ことを特徴とするシステム。
【請求項１４】
前記弁要素は前記側壁に開けられた開口部の上に取り付けられた軟質の第１の層と、該第１の層の上に重なっている第２の層とを有し、前記第２の層は前記開口部からずれた位置に少なくとも１つの穿孔を有する、
ことを特徴とする請求項１３に記載のシステム。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
自動車の構造を補強するための少なくとも１つの剛性で中空の横部材（１）を備え、自動車の客室内に組み込まれた空気分配ダクト（２）において、
該ダクト（２）が、押し出しによって得られ、そして該横部材（１）内に該横部材の内壁から或る距離に配置されることを特徴とする、空気分配ダクト（２）。
【請求項２】
該ダクト(２)の横断面が長手方向の縁に沿って一定であることを特徴とする、請求項１による空気分配ダクト（２）。
【請求項３】
押し出された該ダクト(２)が、空調ユニット（６）から車両の客室に向けて発散される空気を循環させる、少なくとも２つの開口部（４、５）を有することを特徴とする、請求項１または２による空気分配ダクト（２）。
【請求項４】
押し出された該ダクト(２)が、該横部材（１）から突出する突起部（３）により、該横部材（１）の内壁から或る距離に維持されることを特徴とする、請求項１から３までのうちのいずれかによる空気分配ダクト（２）。
【請求項５】
該突起部（３）が、該横部材（１）の周辺のまわりにそして該横部材（１）の長さにわたって均一に配分されることを特徴とする、請求項１から４までのうちのいずれかによる空気分配ダクト（２）。
【請求項６】
押し出された該ダクト(２)が、再生利用可能な材料で作られることを特徴とする、請求項１から５までのうちのいずれかによる空気分配ダクト（２）
。
【請求項７】
該横部材（１）が、押し出された該ダクト(２)をその空洞内に収納するように設計された、ほぼ直線の形状の中空体部であることを特徴とする、請求項１から６までのうちのいずれかによる空気分配ダクト（２）。
【請求項８】
該横部材（１）が、中空横部材部分（１ａ）と筒状横部材部分（１ｂ）とを含み、該中空横部材部分（１ａ）及び該筒状横部材部分（１ｂ）は接ぎ材（１ｃ）によって一体に接合され、該接ぎ材（１ｃ）は該横部材部分（１ａ、１ｂ）の形状に合わせて作られ、そして組立体の剛性を確保することを特徴とする、請求項１から７までのうちのいずれかによる空気分配ダクト（２）。
【請求項９】
該横部材（１）が、該自動車の計器盤を補強するように該自動車の計器盤の内部に配置されることを特徴とする、請求項１から８までのうちのいずれかによる空気分配ダクト（２）。
【請求項１０】
請求項８または９による空気分配ダクトを自動車の客室内に取り付ける方法であって、
該中空横部材部分（１ａ）と該筒状横部材部分（１ｂ）と該接ぎ材（１ｃ）とが該横部材（１）を形成するように組み立てられ、
押し出された該ダクトが該中空横部材部分（１ａ）内に嵌め込まれ、そしてこのように組み立てられた該組立体が該自動車の計器盤の内部に取り付けられることを特徴とする、空気分配ダクトを自動車の客室内に取り付ける方法。
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
合成非金属繊維の複数のループからなるエンドレス荷重支持コアと、
コアのファイバーが互いに、且つ、カバーに対して移動できるように、コアを緩く収容するエンドレス管状カバーと、を含み、
カバーは、ほぼコア全体の状態を見ることができる透明材料で形成される、
ことを特徴とする合成円形スリング。
【請求項２】
カバーが、コアの不断の検査を可能にする材料で形成される、請求項１に記載の円形スリング。
【請求項３】
カバーが、透き通った材料で形成される、請求項２に記載の円形スリング。
【請求項４】
カバーが、網で形成される、請求項３に記載の円形スリング。
【請求項５】
カバーが、粗いメッシュに織られた繊維で形成され、それによってカバーを通してほぼコア全体を見ることができる、請求項２に記載の円形スリング。
【請求項６】
コア繊維が蛍光性であり、カバーが、紫外光に曝されたとき、蛍光を透過するように特徴付けられる材料で形成される、請求項１に記載の円形スリング。
【請求項７】
コア繊維は、ナイロン、ポリエステル、ポリエチレン、ポリプロピレン、あるいはこれらの組み合わせで形成される、請求項１に記載の円形スリング。
【請求項８】
カバーは、織物で形成される、請求項１に記載の円形スリング。
【請求項９】
カバー織物は、織られている、請求項８に記載の円形スリング。
【請求項１０】
織物は、透明な繊維で織られている、請求項９に記載の円形スリング。
【請求項１１】
カバーは、シームレスである、請求項１０に記載の円形スリング。
【手続補正書】
【提出日】平成21年5月20日(2009.5.20)
【手続補正１】
【補正対象書類名】明細書
【補正対象項目名】０００９
【補正方法】変更
【補正の内容】
【０００９】
この課題は、請求項１または８の特徴を有する装置および方法によって解決される。即ち、本発明の第１の視点において、本発明に係る力検出装置は、少なくとも１つの機械的駆動装置（Ａ）と共働し、機械的駆動装置によって少なくとも間接的にある移動方向（Ｘ）へ移動され、この移動時に、第１構造部材に隣接するまたは第１構造部材に接する、射出成形機の少なくとも１つの他の構造部材に対して相対的に移動する第１構造部材と、射出成形機の作動にもとづき第１構造部材と前記他の構造部材との間の相対運動の結果として第１構造部材および／または前記他の構造部材に作用する力を検知する少なくとも１つの力検知装置（Ｄ）と、を有し、第１構造部材と前記他の構造部材との間には、液圧チャンバが形成されており、相対運動時に、該液圧チャンバの大きさが変化するとともに、該液圧チャンバ内にある媒体の圧力変化が生成され、該圧力変化が、力調節および圧力調節のための入力信号である形式のものにおいて、液圧チャンバ内の予設定された圧力または設定可能な圧力を越えた際に液圧媒体容器に液圧媒体を排出する圧力制限弁が設けてあり、液圧チャンバが、第１構造部材および前記他の構造部材によって且つ液圧チャンバの形成のために液圧チャンバを密封する態様で第１構造部材および／または前記他の構造部材に可動支持されると共に該液圧チャンバ内の予設定された圧力または予設定可能な圧力を越えた際に第１構造部材の移動方向（Ｘ）へ移動できるピストン状部材によって限定されていること、を特徴とする。（態様１）
また、本発明の第２の視点において、本発明に係る力検出方法は、下記工程，即ち，−少なくとも１つの機械的駆動装置（Ａ，Ｂ）によって少なくとも１つの第１構造部材を移動方向（Ｘ）へ移動するとともに、第１構造部材に隣接するかまたは第１構造部材に接する、射出成形機の少なくとも１つの他の構造部材に対して相対的に移動させる工程と、−第１構造部材と他の構造部材との間に液圧チャンバを構成することによって第１構造部材と他の構造部材との間の相対運動の結果として第１構造部材および／または他の構造部材に作用する力を検知し、相対運動中に該液圧チャンバ内にある液圧媒体の圧力変化を求める工程と、−求めた該圧力変化を圧力調節または力調節のための入力信号として使用する工程と，を有する形式のものにおいて、予設定されたまたは予設定可能な圧力に該液圧チャンバ内の圧力を限定し、該液圧チャンバを限定するピストン状部材を、液圧チャンバを密封する態様で第１構造部材および／または他の構造部材に可動支持したことによって、予設定されたまたは予設定可能な圧力を越えた際に該液圧チャンバから液圧媒体を排出し、かくして、上記ピストン状部材が、該液圧チャンバ内の液圧媒体の予設定された圧力または予設定可能な圧力を越えた際に第１構造部材の移動方向（Ｘ）へ移動できること、を特徴とする。（態様８）
なお、特許請求の範囲に記載した図面参照符号は専ら理解を容易にするためのものであり、図面に記載した態様に限定することを意図するものではない。
【手続補正２】
【補正対象書類名】明細書
【補正対象項目名】００１３
【補正方法】変更
【補正の内容】
【００１３】
更なる利点は、他の従属請求項および以下の説明から明らかであろう。即ち、本発明の第１の視点において、前記ピストン状部材が、第１構造部材または前記他の構造部材に、上記構造部材の部分を形成するため、不動に結合できることが好ましい。（態様２）
また、液圧チャンバ内の液圧媒体が、液圧的に予圧されていることが好ましい。（態様３）
また、駆動部材（Ｂ）が、線形移動部材または、線形駆動装置もしくはスピンドル駆動装置の線形移動部材と直接に結合された構造部材であることが好ましい。（態様４）
また、駆動部材が、トグルレバー駆動装置のトグルレバーであることが好ましい。（態様５）
また、射出成形機の作動にもとづき構造部材の伸長変形時の第１構造部材と他の構造部材との間の相対運動の結果として第１構造部材および／または他の構造部材に作用する力の検知を行うことが好ましい。（態様６）
また、前記他の構造部材が、射出成形機の送給部材のための射出ブリッジであることが好ましい。（態様７）
また、本発明の第２の視点において、第１構成部材および前記他の構造部材の相互の間に相対的に画成された運動緩衝チャンバを解放するとともに、液圧チャンバから液圧媒体を排出することが好ましい。（態様９）
また、液圧チャンバ内の圧力を初期値になるようサイクリックに校正することが好ましい。（態様１０）
また、好ましくはサイクリックに行う力検知にもとづき、該複数の構造部材の１つを出発状態に液圧的にリセットすることが好ましい。（態様１１）
また、機械的駆動装置（Ａ）として、スピンドル駆動装置、線形駆動装置、液圧駆動装置を有するスピンドルまたはトグルレバー駆動装置を使用することが好ましい。（態様１２）
また、機械的駆動装置（Ａ）の圧力調節または力調節のために前記入力信号を使用することが好ましい。（態様１３）
また、構造部材（複数）の伸長変形を伴う第１構造部材と前記他の構造部材との間の相対運動の結果として第１構造部材および／または前記他の構造部材に作用する力を検知することが好ましい。（態様１４）
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
エアバッグ係留綱の解除機構であり、
ハウジングと、
前記ハウジング内に配置される開始装置であり、該開始装置が展開中巻きを解いて伸長するリドローン端を有する出力カップを含むとともに、該開始装置が展開時に火工残留物の外部放出を防止するために固有のシールを与えるように構成される、開始装置と、
前記開始装置の展開がカッターを作動するように前記開始装置と動作可能に接続されるカッターと、
係留綱が前記カッターの作動によって解除されるまで前記係留綱を固定するように構成される係留綱拘束構造と、
を含む、エアバッグ係留綱の解除機構。
【請求項２】
前記係留綱拘束構造が前記ハウジング内部に形成される開口を含む、請求項１に記載のエアバッグ係留綱の解除機構。
【請求項３】
前記カッターが中に開口が形成されているピストンを含む、請求項２に記載のエアバッグ係留綱の解除機構。
【請求項４】
前記カッターが、前記開始装置の展開前に前記ハウジングの前記開口が前記ピストンの前記開口と少なくとも部分的に整合するように構成され、かつ、前記開始装置の展開後前記ピストンの前記開口が前記ハウジングの前記開口との整合から外れる、請求項３に記載のエアバッグ係留綱の解除機構。
【請求項５】
前記係留綱拘束構造がクリップを含む、請求項１に記載のエアバッグ係留綱の解除機構。
【請求項６】
前記カッターが前記開始装置の展開時に前記クリップの少なくとも一部を分断するように構成される、請求項５に記載のエアバッグ係留綱の解除機構。
【請求項７】
エアバッグ係留綱の解除機構であり、
ハウジングと、
エアバッグ係留綱を拘束するための拘束手段と、
前記ハウジング内部に配置される開始装置であり、該開始装置が展開中巻きを解いて伸長するリドローン端を有する出力カップを含むとともに、該開始装置が展開時に火工残留物の外部放出を防止するために固有のシールを与えるように構成される、開始装置と、
前記拘束手段から前記係留綱を解除するための解除手段であり、該解除手段が前記開始装置によって作動される、解除手段と、
を含む、エアバッグ係留綱の解除機構。
【請求項８】
前記解除手段がカッターを含む、請求項７に記載のエアバッグ係留綱の解除機構。
【請求項９】
前記カッターが切刃を含む、請求項１または８に記載のエアバッグ係留綱の解除機構。
【請求項１０】
前記カッターが前記開始装置の展開時に前記係留綱を切断するように構成される、請求項８に記載のエアバッグ係留綱の解除機構。
【請求項１１】
前記カッターが前記開始装置の展開時に前記拘束手段を切断するように構成される、請求項８に記載のエアバッグ係留綱の解除機構。
【請求項１２】
前記拘束手段が前記ハウジングの開口を含む、請求項７に記載のエアバッグ係留綱の解除機構。
【請求項１３】
前記拘束手段がクリップを含む、請求項７に記載のエアバッグ係留綱の解除機構。
【請求項１４】
前記クリップが前記ハウジング内部に形成される凹部に嵌まり込むように構成される、請求項５または１３に記載のエアバッグ係留綱の解除機構。
【請求項１５】
エアバッグ係留綱の解除機構であり、
ハウジングと、
前記ハウジング内部に配置される開始装置であり、該開始装置が展開時に火工残留物の外部放出を防止するために固有のシールを与えるように構成される、開始装置と、
カッターを含むピストンであって、前記開始装置の展開が前記ピストンを作動するように前記開始装置と動作可能に接続されるピストンと、
係留綱が前記ピストンの作動によって解除されるまで前記係留綱を固定するように構成される係留綱拘束構造と、
前記開始装置の前記展開に応答して通気口の状態を変えるように構成されるベントアクチュエータと、
を含む、エアバッグ係留綱の解除機構。
【請求項１６】
前記ベントアクチュエータがピストンと接続される連接棒を含む、請求項１５に記載のエアバッグ係留綱の解除機構。
【請求項１７】
前記ベントアクチュエータがさらに前記連接棒と接続される通気扉を含む、請求項１６に記載のエアバッグ係留綱の解除機構。
【請求項１８】
さらにピン構造を含み、前記ピン構造が、前記ピストンが前記ハウジングから外へ出ないようにするために使用され、かつ、前記連接棒が前記ピン構造を通り越して前記ハウジングの外へ出る、請求項１６に記載のエアバッグ係留綱の解除機構。
【請求項１９】
前記ピン構造がスプリットスプリングピンを含む、請求項１８に記載のエアバッグ係留綱の解除機構。
【請求項２０】
前記ベントアクチュエータが前記通気口を開くことによって通気口の状態を変えるように構成される、請求項１５に記載のエアバッグ係留綱の解除機構。
【請求項２１】
前記ベントアクチュエータが前記通気口を閉じることによって前記通気口の状態を変えるように構成される、請求項１５に記載のエアバッグ係留綱の解除機構。
【請求項２２】
前記開始装置が展開中巻きを解いて伸長するリドローン端を有する出力カップを含む、請求項１５に記載のエアバッグ係留綱の解除機構。
【請求項２３】
エアバッグ係留綱を解除するための方法であり、
係留綱を拘束するステップであり、該ステップにおいて前記係留綱がエアバッグクッションに接続される、ステップと、
開始装置を展開するステップであり、該ステップにおいて、前記開始装置が外部に火工残留物を放出することなく展開される、ステップと、
カッターを作動するステップであり、該ステップにおいて、前記開始装置の前記展開が前記カッターを作動する、ステップと、
前記係留綱を切断するステップであり、該ステップにおいて、前記カッターの前記作動が前記係留綱を切断する、ステップと、
を含む方法。
【請求項２４】
さらに前記開始装置の前記展開に応答して通気口の状態を変えるステップを含む、請求項２３に記載の方法。
【請求項２５】
前記通気口の状態を変えるステップが前記通気口を開くステップを含む、請求項２４に記載の方法。
【請求項２６】
連接棒が前記カッターと接続され、かつ、前記連接棒が前記通気口の状態を変えるために使用される、請求項２４に記載の方法。
【請求項２７】
通気扉が前記連接棒と接続される、請求項２６に記載の方法。
【請求項２８】
前記開始装置が展開中巻きを解いて伸長するリドローン端を有する出力カップを含む、請求項２３に記載の方法。
【請求項２９】
前記カッターが中に開口が形成されているピストンを含む、請求項２３に記載の方法。
【請求項３０】
前記作動ステップの前に、前記係留綱が前記ピストンの前記開口を通り抜けて伸びる、請求項２９に記載の方法。
【請求項３１】
前記ピストンの前記作動が前記ピストンの前記開口を別の開口と少なくとも部分的に不整合にする、請求項３０に記載の方法。